(57)【要約】【課題】  伝線を邪魔にならない位置で簡単に伝線引き下ろし位置まで配線をすることができる配線手段を有するエレベータ装置を提供すること。【解決手段】  エレベータかご１が昇降する昇降路２内の上方にエレベータかご１駆動用の電動機３を有するエレベータ装置において、昇降路２内を下方から立ち上げ配線される伝線５を電動機３より上位にまで立ち上げ、この伝線立ち上げ位置１２から水平方向に電動機３及びエレベータかご１に設けられたかご制御盤（図示せず）への各伝線引き下ろし位置６２まで伝線５を敷設支持する水平アングル６を昇降路２を形成するエレベータ塔７の内壁に付設したことを特徴とするエレベータ装置である。【選択図】図１
2006036445.tif 000002
【特許請求の範囲】
【請求項１】
エレベータかごが昇降する昇降路内の上方にエレベータかご駆動用の電動機を有するエレベータ装置において、昇降路内を下方から立ち上げ配線される伝線を電動機より上位にまで立ち上げ、この伝線立ち上げ位置から水平方向に電動機及びエレベータかごに設けられたかご制御盤への各伝線引き下ろし位置まで伝線を敷設支持する水平アングルを昇降路を形成するエレベータ塔の内壁に付設したことを特徴とするエレベータ装置。
【請求項２】
水平アングルに、伝線結束具を係合するための係合部を形成したことを特徴とする請求項１に記載のエレベータ装置。
【請求項３】
水平アングルの上面に、長手方向に沿って堰部を形成するとともに、それぞれの伝線引き下ろし位置部分の堰部を切り欠いたことを特徴とする請求項１または請求項２記載のエレベータ装置。
【請求項４】
水平アングルは、エレベータかご昇降用のガイドレールを保持するレールブラケットを固定可能としたことを特徴とする請求項１〜３のいずれか一つに記載のエレベータ装置。
【請求項５】
昇降路を形成するエレベータ塔が、プレキャストコンクリート板により筒状に形成されていることを特徴とする請求項１〜４のいずれか一つに記載のエレベータ装置。
【請求項６】
エレベータ塔を上下方向に複数分割形成してなることを特徴とする請求項１〜５のいずれか一つに記載のエレベータ装置。
【発明の詳細な説明】
【技術分野】
【０００１】
本発明は、エレベータ装置設置場所にエレベータ塔を立設し、内部に昇降路を形成し、該昇降路内に電動機などの設備を設け形成されるエレベータ装置に関するものである。
【背景技術】
【０００２】
従来から、昇降路内の上部に電動機を配置し、いわゆる機械室を無くしたエレベータ装置が知られ、「マシンルームレス・エレベータ」と呼ばれている。このエレベータ装置は、昇降路とは別に機械室を持たず、昇降路内に電動機などの機械室設備を配置しているため、昇降路全体の高さを低く抑えることができる。（例えば特許文献１など）
一方で、電動機などへの電源線、制御線などの伝線は、昇降路内を低位置から立ち上げて電動機などへ邪魔になら無いように配線する必要があるが、昇降路内には種々の設備があり、また可動設備も多いため、これらに邪魔にならない様に配線を行う必要がある。一般にはこれら伝線を邪魔にならない位置に結束具など固定しながら昇降路を形成するエレベータ塔の内壁に配線することとなり、特にプレキャスト・コンクリート板（以下、ＰＣ板）を用いてエレベータ塔を形成している場合などには、結束具をＰＣ板に打ち込むのが難しく、またＰＣ板が破壊するおそれもあった。
【特許文献１】特開２００１−１０６４６１号公報
【発明の開示】
【発明が解決しようとする課題】
【０００３】
本願発明は上記背景技術に鑑みて発明されたものであり、その課題は、伝線を邪魔にならない位置で簡単に伝線引き下ろし位置まで配線をすることができる配線手段を有するエレベータ装置を提供することである。
【課題を解決するための手段】
【０００４】
上記課題を解決するために、本願発明の請求項１に係る発明では、エレベータかごが昇降する昇降路内の上方にエレベータかご駆動用の電動機を有するエレベータ装置において、昇降路内を下方から立ち上げ配線される伝線を電動機より上位にまで立ち上げ、この伝線立ち上げ位置から水平方向に電動機及びエレベータかごに設けられたかご制御盤への各伝線引き下ろし位置まで伝線を敷設支持する水平アングルを昇降路を形成するエレベータ塔の内壁に付設したことを特徴とするエレベータ装置としている。
【０００５】
また請求項２に係る発明では上記に加えさらに、水平アングルに、伝線結束具を係合するための係合部を形成することを特徴としている。
【０００６】
また請求項３に係る発明では上記に加えさらに、水平アングルの上面に、長手方向に沿って堰部を形成するとともに、それぞれの伝線引き下ろし位置部分の堰部を切り欠いたことを特徴としている。
【０００７】
また請求項４に係る発明では上記に加えさらに、水平アングルは、エレベータかご昇降用のガイドレールを保持するレールブラケットを固定可能としたことを特徴としている。
【０００８】
また請求項５に係る発明では上記に加えさらに、昇降路を形成するエレベータ塔が、プレキャストコンクリート板により筒状に形成されていることを特徴としている。
【０００９】
また請求項６に係る発明では上記に加えさらに、エレベータ塔を上下方向に複数分割形成してなることを特徴としている。
【発明の効果】
【００１０】
本願発明の請求項１に係るエレベータ装置においては、例えば昇降路の隅の邪魔にならない位置で配線を立ち上げ、そして水平アングルを用いて伝線を各電線引き下ろし位置まで敷設しているので、可動部材に影響を受けることなく簡単に伝線引き下ろし位置まで配線をすることが可能となる。
【００１１】
本願発明の請求項２に係るエレベータ装置においては、上記に加えさらに、水平アングルから伝線が落下し、昇降路内設備に悪影響を及ぼすおそれが無くなる。
【００１２】
本願発明の請求項３に係るエレベータ装置においては、上記に加えさらに堰部が形成されることで、伝線の配線中に配線ガイドとして用いることで水平アングルに特に注意して沿わす必要が無く、また配線後には水平アングルから伝線が落ちる心配も無くなる。
【００１３】
本願発明の請求項４に係るエレベータ装置においては、上記に加えさらに、水平アングル部分においてもレールブラケットを固定可能としているので、ガイドレール上端部分におけるガイドレール保持を、別部材を用いることなくすることが可能となる。また逆に、水平アングルとしてレールブラケット固定用のブラケットベースを水平アングルとして兼用することも可能であり、この場合部材管理が容易にもなる。
【００１４】
本願発明の請求項５に係るエレベータ装置においては、上記に加えさらに、プレキャストコンクリート板で形成された昇降路において同様のものを用いることが可能となる。
【００１５】
本願発明の請求項６に係るエレベータ装置においては、上記に加えさらに、ユニットを積み上げることでエレベータ塔が形成できるので、本発明をより高層のエレベータ塔にまで用いることが可能となる。
【発明を実施するための最良の形態】
【００１６】
本願発明の最良の形態を図１〜図３に示される以下の実施例にて説明する。なお図１は、本願発明のエレベータ装置における要部を示す平面図であり、図２は、同じくエレベータ装置の側面図であって要部を示す上部拡大図であり、図３は、水平アングルを示す正面図及び平面図である。
【００１７】
本実施例では、エレベータかご１が昇降する昇降路２内の上方にエレベータかご１駆動用の電動機３を有するエレベータ装置において、昇降路２内を下方から立ち上げ配線される伝線５を電動機３より上位にまで立ち上げ、この伝線立ち上げ位置１２から水平方向に電動機３及びエレベータかご１に設けられたかご制御盤（図示せず）への各伝線引き下ろし位置６２まで伝線５を敷設支持する水平アングル６を昇降路２を形成するエレベータ塔７の内壁に付設したことを特徴とするエレベータ装置である。
【００１８】
また水平アングル６には、伝線結束具を係合するための長孔状の係合部８を適宜間隔で形成してある。なお特に図示せず、またそれぞれの伝線５も離して描かれているが、実際には図１においても各伝線５はまとめられ、伝線５を伝線結束具でまとめて水平アングル６に係合させている。なお、全ての係合部８を用いず、選択的に用いてもよい。なお、係合部８の配置のしかたは、図に示された例に限定されず様々な配置が考えられる。
【００１９】
また水平アングル６の上面に、長手方向に沿って堰部６１を形成するとともに、それぞれの伝線引き下ろし位置６２の堰部６１を切り欠いている。なお、該水平アングル６は、ガイドレールそれぞれを保持するレールブラケット９を固定可能としている。
【００２０】
すなわち水平アングル６は、図３に示すように、左右端部分がレールブラケット固定部分６３とされ、レールブラケット固定孔６５が上面に長孔状にそれぞれ形成されている。なお、レールブラケット９には対応する位置に、該レールブラケット固定孔６５と直交する向きに同様に長孔が形成されていて、ガイドレールの位置に合わせて微調整ができるようになっている。そして補強リブ６４が形成されている。そして水平アングル６は形成されている固定孔６６にボルト（図示せず）を用いてエレベータ塔７の内壁に固定される。
【００２１】
なお、ガイドレールを固定するためのレールブラケット９と係合するブラケットベース１９は、昇降路２の上下方向に複数箇所でエレベータ塔７の内壁に固定され用いられるが、このブラケットベース１９の水平部分に、堰部６１を別途形成し水平アングル６として用いることも可能である。また水平部分を切り欠き、上向きに折り曲げるなど種々の態様が考えられる。
【００２２】
なお本実施の形態では、エレベータ塔７を上下方向に複数分割形成してユニット化し、輸送が容易になるようにするとともに、これらはプレキャストコンクリート板（ＰＣ板）により筒状に形成されているものである。なお、各階ごとにユニットを形成してもよいし、輸送できる範囲で複数階をまとめてユニット化してもよい。本実施形態では、２階分で１ユニットとしている。
【００２３】
ここで図１と図２とから、本エレベータ装置の概要を説明すると、略正方形の水平断面を有するエレベータ塔７の一面（図１の左側）に水平アングル６、ブラケットベース１９などが固定され、両側のレールブラケット９によりそれぞれ２本ずつガイドレールが立設保持され、対向したガイドレールが組となって用いられる。なお、図１の左側の組がカウンターウェイト  のガイド用（カウンタウェイト用ガイドレール２１）、右側の組がエレベータかご１を載置するプラットホーム１８のガイド用（かごガイドレール２０）として用いられている。
【００２４】
エレベータかご１はプラットホーム１８上に載置される。図１では図の下側部分が開放され、かご扉ユニット１４で閉塞され、各階の乗り場に設けられる乗り場扉ユニット１６と対向するように設けられている。なお、エレベータかご１が停止階に着床したときは、かご扉と乗り場扉とが係合し、連動して開閉される。なお、かご扉ユニット１４の側端には近接センサにより構成される着床センサ１７が設けられ、乗り場に対応して設けられている位置検出片を検知し、着床停止する。
【００２５】
また本実施形態では最下層の乗り場１５近傍に制御ボックス１３が設置され、該制御ボックス１３から電動機３などへの電源線、制御線などの伝線５を、一旦昇降路２の隅部分（図１の左下部分）に配線した後、直上に配線管を用いるなどして電動機より上となる伝線立ち上げ位置１２まで設けている。そして伝線５のうちエレベータかご１に至るものは、コンセントを設けこれと接続し、その他は配線管で立ち上げられた後、そのまま配線している。エレベータかご１への伝線５は、コンセントとエレベータかご１間を別の伝線として配線している。
【００２６】
次にエレベータかご１を昇降させる電動機３の固定構造について説明する。図２に示すように、まずガイドレールの上端部分にアングル形状の支持アングル２５が、四本のガイドレールの外側を廻るように方形状に組み合され固定されている。そして第一水平材２６が同様に方形状に組み合され支持アングル２５上に載置固定されるとともに、ガイドレールの内側部分で、同様に方形状に組み合される第一水平材２６に載置される第二水平材２７によって、吊り材２８が垂下支持されている。該吊り材２８は、その下端部分で電動機３やシーブ１１を防振材２４を介して載置する架台１０を保持していて、そして電動機３の回転による反力に対抗するために、同じく吊り材２８の下端部分で、振れ止め材２９を介してガイドレールと係合させている。なお、電動機３とシーブ１１とは、減速機を介して接続されている。
【００２７】
また図２では、エレベータかご１と連動し、釣り合いを取るためのカウンターウェイト  が示されている。なおカウンタウェイト２２とエレベータかご１とはエレベータロープ（図示せず）とで連結されていて、シーブ１１にかけられ釣り合うようにされている。そして電動機３によりシーブ１１が回転され、エレベータかご１が昇降される。そして前記カウンタウェイト２２は、枠材とその内側に係合される重りとで構成されていて、必要に応じ調整ができるように重りは複数個に分割されている。また乗り場１５はエレベータ塔７から飛び出すように形成されていて、下側の階の庇となるとともに、エレベータ塔７が設けられる建築物（図示せず）への移動用とされている。
【図面の簡単な説明】
【００２８】
【図１】本願発明の一実施形態であるエレベータ装置を示す要部を示す平面図である。
【図２】同じくエレベータ装置の側面図であって要部を示す上部拡大図である。
【図３】水平アングルを示す（ａ）正面図及び（ｂ）平面図である。
【符号の説明】
【００２９】
１  エレベータかご
２  昇降路
３  電動機
５  伝線
５１  電動機用伝線
５２  エレベータかご用伝線
６  水平アングル
６１  堰部
６２  伝線引き下ろし位置
６３  レールブラケット固定部分
６５  ブラケット固定孔
７  エレベータ塔
８  係合部
９  レールブラケット
１０  架台
１１  シーブ
１２  伝線立ち上げ位置
１３  制御ボックス
１４  かご扉ユニット
１５  乗り場
１６  乗り場扉ユニット
１７  着床センサ
１８  プラットホーム
１９  ブラケットベース
【図１】
2006036445.tif 000003
【図２】
2006036445.tif 000004
【図３】
2006036445.tif 000005